(57)【特許請求の範囲】
【請求項１】
吸入された室内空気を熱交換媒体と熱交換させて吐出す複数台の室内機と、前記複数台の室内機と連結されて前記熱交換媒体を外部空気と熱交換させる室外機と、から構成され、
前記室内機は、停電時発生するデータ喪失を防ぐために設けられたメモリ部に内蔵されて室内機の生産に当たって該室内機に付与される固有の生産番号に関する情報を貯蔵する生産番号貯蔵部を含み、
前記室外機は、前記複数台の室内機に貯蔵された生産番号を、該生産番号を表すニブルのデータによって把握し、前記の把握された生産番号の把握順序に従って該把握順序に相当する室内機のアドレスを順次的に設定した後、前記の設定されたアドレスに基づいて前記室外機と室内機との間のデータ送受信を行うことを特徴とする空気調和システム。
【請求項２】
前記室外機は、前記室内機の生産番号を把握し、前記室内機にアドレスを自動的に設定する自動アドレス設定部と、前記室内機とデータを送受信できるように前記室外機の送受信データを各々通信線規格と室外機規格に適するように変換するデータ変換部と、該データ変換部から変換された前記室外機の送信データを前記室内機に送信すると同時に、前記室内機から伝送されたデータを受信する通信回路部と、を含んでなり、
前記室内機は、前記室外機の自動アドレス設定部に生産番号に関する情報を伝送する自動アドレス設定部と、前記室外機の自動アドレス設定部から設定した室内機のアドレスが貯蔵されるアドレス貯蔵部と、前記室内機の送受信データを各々通信線規格と室内機規格に適するように変換するデータ変換部と、該データ変換部で変換された前記室内機の送信データを前記室外機に送信すると同時に、前記室外機から伝送されたデータを受信する通信回路部と、を含んでなることを特徴とする請求項１に記載の空気調和システム。
【請求項３】
前記室外機の自動アドレス設定部は、複数台の室内機に自動的にアドレスを設定するための設定開始信号を前記室内機に伝送し、該信号に応じて前記室内機から伝送した室内機生産番号に関する情報に基づいて各室内機のアドレスを設定し、前記の設定されたアドレスに関する情報を前記室内機に伝送するように構成され、
前記室内機の自動アドレス設定部は、前記設定開始信号が受信されると前記生産番号貯蔵部に貯蔵された前記室内機生産番号に関する情報を前記室外機の自動アドレス設定部に伝送し、該室外機の自動アドレス設定部で各室内機生産番号に基づいて付与した室内機アドレスに関する情報を前記アドレス貯蔵部に貯蔵するように構成されることを特徴とする請求項２に記載の空気調和システム。
【請求項４】
室外機から複数台の室内機に自動アドレス設定開始を知らせる信号を伝送する第１段階と、
前記室外機が前記室内機の固有の生産番号を、該生産番号を表すニブルのデータによって順次的に把握し、該把握された生産番号の把握順序に基づいて前記室内機にアドレスを順次設定する第２段階と、
前記の第２段階で室内機に設定されたアドレスが貯蔵され、前記の貯蔵されたアドレス情報に基づいて前記室外機と室内機の間のデータ送受信が行われる第３段階と、を含んでなることを特徴とする空気調和システムの制御方法。
【請求項５】
前記第２段階は、前記室内機の生産番号のうち１番目の数値を把握する過程であって、前記室外機が前記複数台の室内機に所定ナンバーを順次的に伝送する過程と、
前記室内機は、前記の室外機が順次的に伝送するナンバーが生産番号の１番目の数値と同一な場合、前記室外機に応答信号を伝送する過程と、
前記室外機は、前記の室内機から伝送された応答信号に基づいて前記複数台の室内機生産番号の１番目の数値を把握する過程と、を含む１番目の数値を把握する過程を含んでなることを特徴とする請求項４に記載の空気調和システムの制御方法。
【請求項６】
前記第２段階は更に、前記室内機の生産番号のうち１番目の数値を把握する過程で把握された１番目の数値が同一である室内機の重複可能台数を把握し、前記室内機の重複可能台数が２以上の複数台である場合は、該重複可能な室内機の生産番号を順次的に把握して生産番号の把握された室内機にアドレスを設定する過程と、
前記室内機の重複可能台数が１台である場合は、該１台の重複可能性のない室内機にアドレスを設定する過程と、を含み、
前記重複可能台数は
Ｄi＝Ｄi-1−(Ｎi−１)
で表される式であって、ここで、Ｎiは前記室外機が生産番号のｉ番目の数値を把握するために前記室内機に所定ナンバーを順次的に伝送した後、前記室内機から伝送された応答信号の数であり、Ｄiはｉ番目の数値が重複され得る室内機の重複可能台数である式によって計算されることを特徴とする請求項５に記載の空気調和システムの制御方法。
【請求項７】
前記第２段階での前記重複可能な室内機の生産番号を順次的に把握して生産番号の把握された室内機にアドレスを設定する過程の後、Ｎiは
Ｎi＝Ｎi−１
の式によって更新されることを特徴とする請求項６に記載の空気調和システムの制御方法。
【請求項８】
前記第２段階での前記重複可能な室内機の生産番号を順次的に把握して生産番号の把握された室内機にアドレスを設定する過程の後、Ｄiは
Ｄi＝Ｄi−Ｆ
で表される式であって、ここで、Ｆは前記室外機が探した室内機の数である式によって更新されることを特徴とする請求項７に記載の空気調和システムの制御方法。
【請求項９】
前記第２段階での前記重複可能な室内機の生産番号を順次的に把握して生産番号の把握された室内機にアドレスを設定する過程は、前記室外機が前記把握された１番目の数値のうちの１つを生産番号の１番目の数値として有する複数台の室内機にアドレスを設定した後、前記把握された１番目の数値と異なる数値を生産番号の１番目の数値として有する複数台の室内機にアドレスを設定するためにＮｉ≠１を１番目の数値として有する室内機の生産番号を把握し、アドレスを設定する過程を含むことを特徴とする請求項７に記載の空気調和システムの制御方法。
【発明の詳細な説明】
【０００１】
【発明の属する技術分野】
本発明は、空気調和システムおよびその制御方法に関し、特に、室内に据付けられた複数の室内機と、この室内機を制御するために据付けられる室外機とから構成された空気調和システムにおいて、室外機が室内機に簡単にアドレスを設定できるようにする空気調和システムおよびその制御方法に関する。
【０００２】
【従来の技術】
マルチエアコンシステムは、１台の室外機と複数台の室内機から構成されたシステムを意味する。このマルチエアコンの有効な動作のためには、室外機は複数台の室内機の各々を区別し、この室内機を制御できるようになっていなければならない。
【０００３】
したがって、室外機が室内機を区別できるように複数台の室内機には番号が割り当てられ、各室内機１，２，３，．．．，ｎ番が存在するようになる。室外機はこれらの複数台の室内機をそれらの各々の番号で認識し、各室内機とデータ交換を行う。
【０００４】
このように番号を割り当て、番号が割り当てられた室内機と室外機との相互データ送受信のために、図１に示すように、室外機の各種事項を制御するマイコン３を内蔵した室外機１と室内機の各種事項を制御するマイコン４を内蔵した複数台の室内機２が通信線５を通じて連結されている。
【０００５】
ここで、室外機１と室内機２は制御情報およびオン／オフなどの各種制御信号を通信線５を通じて取り交わし、特に、室外機１は、現在取り交わしている内容がどの室内機に関するものかが分かるようにするために室内機に付与された番号を把握していなければならない。これにより、室外機がオン信号などの制御信号に応じて特定の室内機を制御しようとする場合、上記の特定の室内機の番号と位置などに関する情報を予め把握しているため、複数台の室内機を個別的に制御することができる。
【０００６】
従来では、室内機２にディップスイッチ(dip-switch)６を装着し、据付者がディップスイッチ６を用いて室内機据付現場で各室内機に番号を設定することによって、室外機１が室内機２の番号を把握できるようにしていた。ディップスイッチ６を通じて番号が定められた室内機２は、設定された室内機番号に関する情報を室外機マイコン３に伝達し、これにより室外機マイコン３は複数台の室内機番号を把握し特定の室内機を制御することができる。
【０００７】
しかし、かかる空気調和システムでは、据付者がディップスイッチを用いて室内機に各々番号を付与しなくてはならず、据付者がディップスイッチを誤って設定する確立が高まり、室内機の番号が重複するか、誤って認識される恐れがあった。
【０００８】
また、ディップスイッチはハードウェア的に室内機に直接装着され、結果として部品コストが上昇し、かつ、据付者がディップスイッチを用いて設定した情報を受信するために室内機マイコンは別途のマイコンポートを持たなければならず、このような室内機の開発は相当難しいことであった。
【０００９】
しかも、前述のように室内機台数が増加すると室内機に設定される番号も増加することになる。したがって、室内機には高い数の番号が設定可能なディップスイッチを装着しなければならず、これはディップスイッチと連結される室内機マイコンのポート数の増加につながり、この場合、高価なチップに室内機マイコンなどを取り替えなければならない問題があった。
【００１０】
【発明が解決しようとする課題】
従って、本発明は、前記問題点に鑑みてなされたものであり、空気調和のために室内に据付けられる複数台の室内機とこれら室内機を制御する室外機を有する空気調和システムにおいて、室内機はその生産に当って各々に割り当てられた生産番号を貯蔵し、室外機はこの室内機生産番号を把握し、把握した生産番号に基づいてその室内機に自動的にアドレスを設定する空気調和システムおよびその制御方法を提供することにその目的がある。
【００１１】
【課題を解決するための手段】
上記の目的を達成するために、本発明の一態様によれば、吸入された室内空気を熱交換媒体と熱交換させて吐出す複数台の室内機と、この複数台の室内機と連結されて上記の熱交換媒体を外部空気と熱交換させる室外機とから構成され、この室内機は、停電時に発生するデータ喪失を防ぐために設けられたメモリ部に内蔵されて室内機生産に当たってその室内機に付与される固有の生産番号に関する情報を貯蔵する生産番号貯蔵部を含み、また室外機は、上記の複数台の室内機に貯蔵された生産番号の１番目の数値を把握し、この把握された１番目の数値が同じである室内機の生産番号の残りの数値を把握してアドレスを順次的に設定した後、上記の１番目の数値が同じでない室内機のアドレスを、上記の１番目の数値が同じである室内機におけるアドレス設定方法と同様な方法で設定することを特徴とする空気調和システムが提供される。
【００１２】
また、本発明の他の態様よれば、室外機から複数台の室内機にアドレス設定開始を知らせる信号を伝送する第１段階と、室外機が室内機の生産番号を順次的に把握し、この把握された生産番号に基づいて室内機にアドレスを設定する第２段階と、この第２段階で室内機に設定されたアドレスが貯蔵され、この貯蔵されたアドレス情報に基づいて室外機と室内機間のデータ送受信が行われる第３段階と、を含んでなることを特徴とする空気調和システムの制御方法が提供される。
【００１３】
【発明の実施の形態】
以下、本発明の好ましい実施形態を添付図面を参照しつつ詳細に説明する。
【００１４】
本発明による空気調和システムは、図２に示すように、１台の室外機１１と、この室外機１１と通信線１５を通じて連結された複数台の室内機１２とから構成される。ここで、室外機１１は室外機１１の各種事項を制御するマイコン１３を、また室内機１２は室内機１２の各種事項を制御するマイコン１４を各々内蔵する。また、室内機１２はＥＥＰＲＯＭ(Electrically Erasable and Programmable Read Only Memory)からなるメモリ部１６をさらに含んで構成されるが、メモリ部１６は停電などの突発状況時、室内機１２のデータ喪失を防ぐために室内機１２の運用に関するデータが貯蔵される。
【００１５】
本発明においてメモリ部１６は該当する室内機１２の固有生産番号に関する情報を貯蔵することが好ましい。
【００１６】
次いで、図３を参照して本発明による空気調和システムのさらに詳細な構成を説明する。
【００１７】
まず、室外機１１に内蔵されたマイコン１３は、複数台の室内機に貯蔵された生産番号を把握し、この生産番号が把握された室内機に自動的にアドレスを設定できる室外機自動アドレス設定部２１を有する。以下、本実施例では、説明の便宜上、室外機が複数の室内機１２のうち第１室内機のみと連結される場合について空気調和システムの構成を説明するものとする。また、室外機マイコン１３は、室外機１１と第１室内機１２との間の送受信データを各々通信線１５の規格と室外機１１の規格に適するように変換するデータ変換部２２をさらに含む。ここで、データ変換部２２を通じて変換されたデータは、第１室内機１２とデータを送受信する室外機通信回路部２３を通じて第１室内機１２と送受信される。
【００１８】
一方、第１室内機１２に内蔵されたメモリ部１６は、第１室内機１２の生産番号に関する情報を貯蔵する生産番号貯蔵部３４と、室外機自動アドレス設定部２１によって設定された第１室内機１２のアドレスに関する情報を貯蔵するアドレス貯蔵部３５とを含む。したがって、室外機自動アドレス設定部２１は、メモリ１６の生産番号貯蔵部３４に貯蔵される生産番号情報に基づいて第１室内機１２のアドレスを設定する役割を果たす。また、室内機マイコン部１４はメモリ１６の生産番号貯蔵部３４にアクセスして生産番号情報を読み出し、この読み出した生産番号情報を室外機１１に伝送する室内機自動アドレス設定部３１を含み、室外機自動アドレス設定部２１は室内機自動アドレス設定部３１から伝送された生産番号情報に基づいて第１室内機１２のアドレスを自動的に設定する。室内機自動アドレス設定部３１は、室外機自動アドレス設定部２１によって設定された第１室内機１２のアドレスに関する情報をメモリ１６のアドレス貯蔵部３５に貯蔵させる機能をも持つ。また、室内機マイコン１４は、室外機マイコン１３と同様に、第１室内機１２と室外機１１の間の送受信データを各々通信線１５の規格と室内機１２の規格に適するように変換するデータ変換部３２をさらに含んでなる。
【００１９】
また、第１室内機１２は、通信線１５に、あるいはそれからデータを送受信する通信回路部３３をさらに含んで構成され、この室内機通信回路部３３と室外機通信回路部２３は通信線１５を通じて実質的にデータを相互に送受信する。
【００２０】
図４ないし図６は、本発明による空気調和システムのアドレス設定アルゴリズムに基づいて室外機と室内機の間に送受信される信号の波形を示している。
【００２１】
まず、図４において、室外機は、自動アドレス設定開始を知らせるスタートビット、呼出ビット、そしてストップビットからなるデータを室内機に伝送する。ここで、スタートビットは一般の呼出ビットに比べて長いパルス幅を有するため、室内機は簡単にスタートビットを認識することができる。また、呼出ビットは、室内機に貯蔵された生産番号が２０ビットで５桁からなる生産番号である場合、複数台の室内機の生産番号のうち１番目の数値を呼び出す時に使用される。即ち、図４に示すように、室外機が１番目の数値として‘０’を有する室内機から‘Ｆ’を有する室内機までを呼び出すと、この室外機の呼出の数値０〜Ｆを生産番号の１番目の数値として有する室内機が前記室外機の呼出に応答する。図中で、ニブル(Nibble)とは、４ビットデータを意味し、２０ビットで５桁からなる生産番号は５個のニブルからなるデータのことである。
【００２２】
図５は、図４の過程の後に、１番目の数値、即ち１番目のニブル（最上位ニブル）が‘０’である各室内機の生産番号の２番目の数値、つまり次のニブル（次上位ニブル）を把握するために室外機が上記の複数台の室内機を呼び出す動作と、それに対応する室内機の応答を示している。図６の３種類の信号は、上記のような過程を繰り返し室外機が室内機の生産番号の一部またはその全ての把握を終了した場合に、室外機が室内機に伝送する信号の波形を示している。各室内機は、室外機から室内機探索終了信号が伝送されると、室内機に付与されたアドレスを貯蔵する。
【００２３】
ここで、室外機が室内機の台数を把握し、アドレスを設定するために使用する変数Ｎi，Ｄi，Ｆは次のようである。まず、Ｎiは室外機が伝送したデータの呼出ビットに応じて応答した室内機のビット列の総数で、生産番号の各桁(ｉ)に該当するＮiが別途に貯蔵される。前記の室外機自動アドレス設定部は‘０’を１番目の数値として有する室内機の生産番号から把握し始め、‘０’を１番目の数値として有する生産番号の最後の桁の生産番号数値まで把握する。その後、１番目の数値が‘１’の生産番号を有する室内機を把握するために上記の室外機自動アドレス設定部は、Ｎi＝１の場合はその桁（ｉ）の数値は探索を行うまでもなく決ってしまうので、次の探索をＮi≠１の生産番号数値に移動し、上記の１番目の数値が‘０’の室内機の生産番号を把握してアドレスを設定するために行った動作と同一な動作を繰り返す。Ｄiは、生産番号の各桁で室内機が重複され得る最大数（重複可能台数）であり、下記の式（１）によって計算される。
【００２４】
Ｄi＝Ｄi-1−(Ｎi−１)                                           （１）
また、ここでは室外機が探した室内機の数をＦとし、室外機がＦ台の室内機の探索を終了した後、ＮiとＤiは下記の式（２）と（３）によって各々更新される。
【００２５】
Ｎi＝Ｎi−１                                                    （２）
Ｄi＝Ｄi−Ｆ                                                    （３）
次いで、図７には本発明による空気調和システムの制御方法によって自動的にアドレスを設定する空気調和システムとその室内機に貯蔵された生産番号が示されている。ここで、複数台の室内機１２−１〜１２−１６に内蔵されたEEPROM１６−１〜１６−１６の生産番号貯蔵部３４−１〜３４−１６に貯蔵される生産番号は２０ビットであり、５桁の数値、つまり５ニブルからなる。室外機１１は複数台の室内機１２−１〜１２−１６と連結され、生産番号貯蔵部３４−１〜３４−１６に貯蔵される生産番号は図示の通りである。
【００２６】
図７のような空気調和システムでアドレスを自動的に設定する制御方法の流れは図８ないし図３１に示す通りである。
【００２７】
図８において、室外機は複数台の室内機にスタートビット、呼出ビット、ストップビットからなるデータを伝送し、上記の複数台の室内機はそれに応じて室外機に応答する。室外機は、生産番号の最上位の数値を示す最上位ニブルが‘０’である室内機から呼び出し始め、最上位ニブルが‘Ｆ’である室内機まで呼び出す。ここで、室外機は、室内機が応答したビットの位置（この場合１〜４、７、９、Ｃ〜Ｄ、Ｆ）および総ビット数(Ｎ1＝９)を貯蔵する。各位置で室内機が重複される最大可能個数Ｄ1はＤ0−(Ｎ1−１)＝１６−(９−１)、即ち８となる。ここでＤ0は初期に室内機が重複される最大可能個数なので、据付けられた室内機の総台数である１６となる。即ち、室内機の総台数が１６台で、それが９ヶの位置（即ち、最上位ニブルが１〜４、７、９、Ｃ、Ｄ、Ｆの９個所）に分散しているので、仮にその内の１ヶ所に集中して重複し、残りの８ヶ所は１台ずつであるとすると、１６−（９−１）＝８台が１ヶ所に重複することになり、これがＤ1に相当する。
【００２８】
さらに詳細に説明すれば、室外機が、最上位ニブルが‘１’である室内機を呼び出すと、図７に示す複数台の室内機のうち生産番号の最上位ニブルが‘１’の室内機８台が室外機に応答する。しかし、室外機と室内機は単一バスラインを通じて連結されているため、８台の室内機が室外機に同時に応答を伝送すると、この応答には衝突が起こり、室外機は何台の室内機が応答を伝送してきたか分からないことになる。即ち、最上位ニブルが‘１’である室内機が存在するという事実しか把握できず、何台の室内機が最上位ニブル‘１’を有するかは把握できない。したがって、前記のような式によって最大重複可能台数を計算し、それに基づいて最上位ニブルが‘１’である室内機の残りのニブルに貯蔵された生産番号を把握することかできる。
【００２９】
図９において、室外機は、最上位ニブルが‘１’で、その次のニブルである次上位ニブルが‘０〜Ｆ’の室内機を呼び出す。この呼出に応じて室内機から送られてきた応答に基づいて室外機は最上位ニブルが‘１’で、次上位ニブルが‘０’の室内機が存在するということが把握でき、室外機に貯蔵される総ビット数Ｎ2は５で、Ｄ2＝Ｄ1−(Ｎ2−１)＝８−４＝４である。即ち、図９から最上位ニブルが‘１’の室内機にはｉ＝２（次上位ニブル）が５ヶの数値を有する室内機しか存在しない事がわかり、また、最大重複可能台数（ｉ＝１、つまり最上位ニブルの数値が重複し得る最大台数）Ｄ1＝８台である事は既にわかっているので、この８台の内、重複するのは上記５ヶのうちの１ヶのみで他は１台ずつであると仮定すると、この場合の重複可能台数（最大）Ｄ2＝８−（５−１）＝４台となる。上記のような過程を通じて図１０で室外機に貯蔵されたＮ3＝１であり、Ｄ3＝Ｄ2−(Ｎ3−１)＝４−０＝４である。図１１において、Ｎ4＝１、Ｄ4＝Ｄ3−(Ｎ4−１)＝４−０＝４である。図１２では、最後のニブルである最下位ニブルの探索が行われ、それに応じて応答した室内機が１台であるため、室外機はこの室内機にそれ固有のＩＤであるアドレスを付与する。図１３において、室外機は、図１２までの過程を通じて把握された室内機の生産番号‘１０７ＥＡ’を貯蔵し、ここで探索された室内機の数Ｆ＝１となり、生産番号が‘１０７ＥＡ’の室内機は自分のアドレスを室外機で設定した通り‘０’として貯蔵し室外機に応答する。
【００３０】
ここで、室外機は、図８ないし１３で生産番号が‘１０７ＥＡ’の室内機にアドレスを設定した後、ｉ＝１、２の数値が１、１の場合について探索するために、次の探索はＮiが１でない位置すなわちＮ3の位置に移動する。
【００３１】
図１４は、生産番号の最上位ニブルが‘１’の室内機のうち、次上位ニブルが‘１’の室内機の生産番号を把握するために室外機から出力する信号の波形とそれによる室内機の応答を示している。即ち、室外機で最上位ニブルが‘１’で、次上位ニブルが‘１’である室内機のその次のニブルを把握するために、室外機は室内機に‘０〜Ｆ’を伝送する。すると、最上位ニブルが‘１’で、次上位ニブルが‘１’である室内機のうち３番目のニブルが各々‘４’と‘７’である室内機が応答する。
【００３２】
従って、Ｎ3＝２でまたＤ2は先の探索でＤ2＝４であることが分っているので、Ｄ3＝Ｄ2−(Ｎ3−１)＝４−１＝３である。ところが、この段階ではＦ＝１であり、また室内機の生産番号重複が既に図８ないし図１４で確認されたため、残り室内機で生産番号重複が起こる最大可能台数はＤ2＝Ｄ2−１＝４−１＝３である。図１５で前記のような動作を室外機が行うことによってＮ4＝１で、Ｄ4＝Ｄ3−(Ｎ4−１)＝３−０＝３となる。図１６で最後のニブルの探索が行われ、応答した室内機が１台なので、室外機は室内機にアドレスを設定する。図１７で室外機は図１６で応答した室内機の生産番号‘１１４２Ｆ’を貯蔵し、それによりＦ＝２として貯蔵され、‘１１４２Ｆ’室内機は自分のアドレスを‘１’として貯蔵し室外機に応答する。
【００３３】
図１８で室外機の探索は次のＮiが１でない位置に移動し、ここで室外機は、最上位ニブルが‘１’で、その次のニブルである次上位ニブルが‘１’で、その次のニブルが‘７’である室内機の次のニブルを把握するために‘０〜Ｆ’を室内機に伝送し、室内機は‘０〜Ｆ’のうち‘２’が伝送される場合に室外機に応答する。室内機が応答した総ビット数が１なので、ここでＮ4＝１で、Ｄ4＝Ｄ3−(Ｎ4−１)＝３−０＝３である。図１９で最後のニブルの探索が行われ、室内機は１台なので室外機は室内機にアドレスを設定する。図２０で室外機は前記の探索された室内機の生産番号‘１１７２３’を貯蔵し、それによってＦ＝３であり、‘１１７２３’室内機は自分のアドレスを‘２’として貯蔵し室外機に応答する。
【００３４】
図２１で最上位ニブルが‘１’で、その次のニブルである次上位ニブルが‘２’の室内機の次のニブルを把握するために‘０〜Ｆ’を室内機に伝送し、それにより室内機から送られてきた応答ビットの位置および総ビット数を貯蔵するが、ここで、Ｎ3＝１で、Ｄ3＝Ｄ2−(Ｎ3−１)＝３−０＝３である。図２２で室外機の探索は次のＮiが１でない位置に移動し、室外機は最上位ニブルが‘１’で、その次のニブルである次上位ニブルが‘２’で、その次のニブルが‘Ａ’の室内機の次のニブルを把握するために‘０〜Ｆ’を室内機に伝送する。室内機から送られてきた応答に応じて室外機に貯蔵されたＮ4＝１であり、Ｄ4＝Ｄ3−(Ｎ4−１)＝３−０＝３である。図２３で前記のような方法を通じて室外機が‘０〜Ｆ’を呼び出すと生産番号が‘１２Ａ２Ｄ’の室内機が応答する。図２４で室外機は、室内機の生産番号‘１２Ａ２Ｄ’を貯蔵し、Ｆ＝４である。‘１２Ａ２Ｄ’室内機は、自分のアドレスを‘３’として貯蔵し室外機に応答する。
【００３５】
図２５で、最上位ニブルが‘１’で、次のニブルが‘３’の室内機だけが応答するように室外機が‘０〜Ｆ’データを伝送すると、図示のように最上位ニブルが‘１’で、次のニブルが‘３’で、その次のニブルが各々‘６’、‘７’、‘８’の室内機だけが応答する。ここで、Ｎ3＝３であり、各応答位置で室内機が重複される最大可能個数Ｄ3＝Ｄ2−(Ｎ3−１)＝３−２＝１である。即ち、重複は起こらなく、室外機は図２５で応答した室内機のその次のニブルを把握する必要がなくなる。したがって、室外機は、前記図２５で応答した室内機にアドレスを設定する。図２６、２７、２８は生産番号が‘１３６２０’、‘１３７０４’、‘１３８６Ｂ’の室内機にアドレスが設定されることによって室外機でＦ＝５、Ｆ＝６、Ｆ＝７として貯蔵されることと、それによって前記室内機が各々自分のアドレスを‘４’、‘５’、‘６’として指定することを示している。
【００３６】
ここで、室外機は、生産番号が‘１３６２０’、‘１３７０４’、‘１３８６Ｂ’である室内機の生産番号を最下位ニブルまで把握しておらず、各々３番目までのニブル‘１３６’、‘１３７’、‘１３８’だけを把握しているが、重複が起こらなかったため、前記の最上位ニブル、次上位ニブル、その次のニブルが各々‘１３６’、‘１３７’、‘１３８’である室内機の全生産番号を把握する必要がない。
【００３７】
図２９において、室内機の応答に応じて前記のような過程を通じて計算されたＤ2＝１であり、重複がなかった。したがって、図３０で、室外機は最上位ニブルが‘１’で、その次のニブルが‘８’である‘１８８７７’の室内機をＦ＝８として貯蔵し、室内機は自分のアドレスとして‘７’を貯蔵する。図３１でＮiは更新されるが、ここでＮ1＝Ｎ1−１＝８である。室外機に貯蔵されたＦ＝８なので、以上により全ての室内機に重複無しにアドレスが設定されたことが分かる。
【００３８】
図３２は、前記の図８ないし図３１のアドレス設定にかかる時間を計算したものである。図３２に示すように、室外機がデータを伝送するにかかる時間が１１.２ｓで、室外機が室内機を探した場合データを伝送するにかかる時間が２.２ｓなので、総所要時間は１３.４ｓとなり、本発明の制御方法を適用した大部分の場合において１５秒以内に空気調和システムのアドレスを設定することが可能であった。
【００３９】
【発明の効果】
以上のように構成される本発明による空気調和システムおよびその制御方法は、空気調和のために室内に据付けられた複数台の室内機と、この室内機を制御する室外機とを含めてなる空気調和システムにおいて、室外機が複数台の室内機を制御できるように室内機の生産に当って付与された室内機固有の生産番号に関する情報を把握して室内機を区分できるようにすると同時に、上記の把握された生産番号に基づいて複数台の室内機のアドレスが自動的に設定されるようにしたため、室内機を据付ける据付者が直接複数個のアドレスを設定しなくて済み、結果としてアドレス設定に際して生じる誤りの発生率を下げ、その所要時間が縮められる効果がある。
【図面の簡単な説明】
【図１】従来の空気調和システムの構成を表すブロック図を示す。
【図２】本発明による空気調和システムの構成を表すブロック図を示す。
【図３】本発明による空気調和システムのさらに詳細な構成を表すブロック図を示す。
【図４】本発明による空気調和システムのアドレス設定アルゴリズムを表すタイミング図（その１）を示す。
【図５】本発明による空気調和システムのアドレス設定アルゴリズムを表すタイミング図（その２）を示す。
【図６】本発明による空気調和システムのアドレス設定アルゴリズムを表すタイミング図（その３）を示す。
【図７】本発明の適用される空気調和システムの実施例を表す図を示す。
【図８】本発明による図７の空気調和システムの自動アドレス設定動作を表すタイミング図（その１）を示す。
【図９】本発明による図７の空気調和システムの自動アドレス設定動作を表すタイミング図（その２）を示す。
【図１０】本発明による図７の空気調和システムの自動アドレス設定動作を表すタイミング図（その３）を示す。
【図１１】本発明による図７の空気調和システムの自動アドレス設定動作を表すタイミング図（その４）を示す。
【図１２】本発明による図７の空気調和システムの自動アドレス設定動作を表すタイミング図（その５）を示す。
【図１３】本発明による図７の空気調和システムの自動アドレス設定動作を表すタイミング図（その６）を示す。
【図１４】本発明による図７の空気調和システムの自動アドレス設定動作を表すタイミング図（その７）を示す。
【図１５】本発明による図７の空気調和システムの自動アドレス設定動作を表すタイミング図（その８）を示す。
【図１６】本発明による図７の空気調和システムの自動アドレス設定動作を表すタイミング図（その９）を示す。
【図１７】本発明による図７の空気調和システムの自動アドレス設定動作を表すタイミング図（その１０）を示す。
【図１８】本発明による図７の空気調和システムの自動アドレス設定動作を表すタイミング図（その１１）を示す。
【図１９】本発明による図７の空気調和システムの自動アドレス設定動作を表すタイミング図（その１２）を示す。
【図２０】本発明による図７の空気調和システムの自動アドレス設定動作を表すタイミング図（その１３）を示す。
【図２１】本発明による図７の空気調和システムの自動アドレス設定動作を表すタイミング図（その１４）を示す。
【図２２】本発明による図７の空気調和システムの自動アドレス設定動作を表すタイミング図（その１５）を示す。
【図２３】本発明による図７の空気調和システムの自動アドレス設定動作を表すタイミング図（その１６）を示す。
【図２４】本発明による図７の空気調和システムの自動アドレス設定動作を表すタイミング図（その１７）を示す。
【図２５】本発明による図７の空気調和システムの自動アドレス設定動作を表すタイミング図（その１８）を示す。
【図２６】本発明による図７の空気調和システムの自動アドレス設定動作を表すタイミング図（その１９）を示す。
【図２７】本発明による図７の空気調和システムの自動アドレス設定動作を表すタイミング図（その２０）を示す。
【図２８】本発明による図７の空気調和システムの自動アドレス設定動作を表すタイミング図（その２１）を示す。
【図２９】本発明による図７の空気調和システムの自動アドレス設定動作を表すタイミング図（その２２）を示す。
【図３０】本発明による図７の空気調和システムの自動アドレス設定動作を表すタイミング図（その２３）を示す。
【図３１】本発明による図７の空気調和システムの自動アドレス設定動作を表すタイミング図（その２４）を示す。
【図３２】図８ないし図３１に示した空気調和システムの自動アドレス設定動作に所要な時間を表すタイミング図を示す。
【符号の説明】
１１…室外機
１２…室内機
１３…室外機マイコン
１４…室内機マイコン
１５…通信線
１６…メモリ部
２１…室外機自動アドレス設定部
２２…室外機データ変換部
２３…室外機通信回路部
３１…室内機自動アドレス設定部
３２…室内機データ変換部
３３…室内機通信回路部
３４…生産番号貯蔵部
３５…アドレス貯蔵部
【図１】
0004170653.tif 000002
【図２】
0004170653.tif 000003
【図３】
0004170653.tif 000004
【図４】
0004170653.tif 000005
【図５】
0004170653.tif 000006
【図６】
0004170653.tif 000007
【図７】
0004170653.tif 000008
【図８】
0004170653.tif 000009
【図９】
0004170653.tif 000010
【図１０】
0004170653.tif 000011
【図１１】
0004170653.tif 000012
【図１２】
0004170653.tif 000013
【図１３】
0004170653.tif 000014
【図１４】
0004170653.tif 000015
【図１５】
0004170653.tif 000016
【図１６】
0004170653.tif 000017
【図１７】
0004170653.tif 000018
【図１８】
0004170653.tif 000019
【図１９】
0004170653.tif 000020
【図２０】
0004170653.tif 000021
【図２１】
0004170653.tif 000022
【図２２】
0004170653.tif 000023
【図２３】
0004170653.tif 000024
【図２４】
0004170653.tif 000025
【図２５】
0004170653.tif 000026
【図２６】
0004170653.tif 000027
【図２７】
0004170653.tif 000028
【図２８】
0004170653.tif 000029
【図２９】
0004170653.tif 000030
【図３０】
0004170653.tif 000031
【図３１】
0004170653.tif 000032
【図３２】
0004170653.tif 000033